(57)【要約】      （修正有）【課題】座や背もたれをスムーズに揺動させる。摩擦音の発生を防止する。【解決手段】前部１ｂに比べて後部１ａを昇降可能な座１と、後傾可能な背もたれと、背もたれに設けられ、座１の後部１ａを下から支えて背もたれの後傾に連動して座１の後部１ａを上昇させると共に、座１の後部１ａの下降に連動して背もたれを前方に起立させる体重感知部３と、座１の後部１ａと体重感知部３との間に設けられ、回転しながら力を伝達する回転体４を備えている。【選択図】図５
2012249826.tif 000002
【特許請求の範囲】
【請求項１】
前部に比べて後部を昇降可能な座と、後傾可能な背もたれと、前記背もたれに設けられ、前記座の後部を下から支えて前記背もたれの後傾に連動して前記座の後部を上昇させると共に、前記座の後部の下降に連動して前記背もたれを前方に起立させる体重感知部と、前記座の後部と前記体重感知部との間に設けられ、回転しながら力を伝達する回転体を備えることを特徴とする椅子。
【請求項２】
前記座の後部と前記体重感知部との間に前記背もたれの後傾に対する反力を発生させる反力機構を設け、前記反力機構を前記座の底面に沿って配置することを特徴とする請求項１記載の椅子。
【請求項３】
前記背もたれは可撓性を有すると共に、前記体重感知部は左右に設けられており、左右の体重感知部は互いに独立していることを特徴とする請求項１又は２に記載の椅子。
【請求項４】
脚に支持されるフレームの後部の少なくとも一部は左右方向に伸びた後側直線部となっており、前記後側直線部に前記背もたれを軸受け機構を介して後傾可能に取り付けたことを特徴とする請求項１から３のいずれか１つに記載の椅子。
【請求項５】
脚に支持されるフレームの前部の少なくとも一部は左右方向に伸びた前側直線部となっており、前記前側直線部に前記座の前部を軸受け機構を介して揺動可能に取り付けたことを特徴とする請求項１から３いずれか１つに記載の椅子。
【請求項６】
脚に支持されるフレームの後部の少なくとも一部は左右方向に伸びた後側直線部となっており、前記後側直線部に前記背もたれを軸受け機構を介して後傾可能に取り付けると共に、前記フレームの前部の少なくとも一部は左右方向に伸びた前側直線部となっており、前記前側直線部に前記座の前部を軸受け機構を介して揺動可能に取り付けたことを特徴とする請求項１から３いずれか１つに記載の椅子。
【発明の詳細な説明】
【技術分野】
【０００１】
本発明は、椅子に関する。さらに詳しくは、本発明は、背もたれの後方への傾動に連動して座の後部を上昇させると共に、座の後部の下降に連動して背もたれを前方に起立させる所謂体重感知式の椅子に関するものである。
【背景技術】
【０００２】
着座者の体重を利用して背当ての後傾に対する反力を発生させる所謂体重感知式の椅子として、例えば特許文献１（特開平１０−２７２０３１号公報）に記載されている椅子がある。この椅子を図１８〜図２０に示す。座受板１０１は取付枠１０２に対してコイルスプリング１０３を介して揺動可能に取り付けられている。コイルスプリング１０３は取付枠１０２の天板の底面に垂直に設けられ、座受板１０１に設けられた軸１０７の傾きに応じて湾曲することで座受板１０１の揺動を可能にする。また、背当て１０４を支持する背当て取付体１０５は取付枠１０２に揺動可能に取り付けられており、その先端には板状部材を上方に向けて円弧状に湾曲させることで形成された突出部１０６が設けられている。
【０００３】
着座者が背当て１０４に寄りかかって後傾させると、背当て取付体１０５が揺動する。このとき、先端の突出部１０６が座受板１０１の後部を持ち上げるので、着座者の体重が背当て１０４の後傾に対する反力となる。逆に、着座者が背当て１０４に寄りかかる力を弱めると、着座者の体重によって座受板１０１の後部が下がり、突出部１０６を押し下げて背当て１０４を前方に起立させる。このように体重感知式の椅子が構成される。
【先行技術文献】
【特許文献】
【０００４】
【特許文献１】特開平１０−２７２０３１号公報
【発明の概要】
【発明が解決しようとする課題】
【０００５】
しかしながら、上述の椅子では、突出部１０６が座受板１０１を持ち上げる場合に座受板１０１の底面を擦り上げる構成であり、荷重がかかる部分での摺動であることから大きな摩擦力が発生し、座受板１０１や背当て取付体１０５をスムーズに揺動させることができない。また、摩擦音が発生し、商品価値を悪化させてしまう。
【０００６】
さらに、コイルスプリング１０３を垂直に配置しているため、その下部が取付枠１０２から大きく突出して目立ってしまい、椅子の外観を悪化させてしまう。
【０００７】
本発明は、座及び背もたれをスムーズに揺動させることができると共に、摩擦音の発生を防止することができる椅子を提供することを目的とする。また、本発明は、反力機構を目立たなくすることができる椅子を提供することを目的とする。
【課題を解決するための手段】
【０００８】
かかる目的を達成するために、請求項１記載の椅子は、前部に比べて後部を昇降可能な座と、後傾可能な背もたれと、背もたれに設けられ、座の後部を下から支えて背もたれの後傾に連動して座の後部を上昇させると共に、座の後部の下降に連動して背もたれを前方に起立させる体重感知部と、座の後部と体重感知部との間に設けられ、回転しながら力を伝達する回転体を備えるようにしている。
【０００９】
また、請求項２記載の椅子は、座の後部と体重感知部との間に背もたれの後傾に対する反力を発生させる反力機構を設け、反力機構を座の底面に沿って配置するようにしている。
【００１０】
また、請求項３記載の椅子は、背もたれが可撓性を有しており、体重感知部を左右に設け、左右の体重感知部を互いに独立させている。
【００１１】
また、請求項４記載の椅子は、脚に支持されるフレームの後部の少なくとも一部は左右方向に伸びた後側直線部となっており、後側直線部に背もたれを軸受け機構を介して後傾可能に取り付けている。
【００１２】
また、請求項５記載の椅子は、脚に支持されるフレームの前部の少なくとも一部は左右方向に伸びた前側直線部となっており、前側直線部に座の前部を軸受け機構を介して揺動可能に取り付けている。
【００１３】
さらに、請求項６記載の椅子は、脚に支持されるフレームの後部の少なくとも一部は左右方向に伸びた後側直線部となっており、後側直線部に背もたれを軸受け機構を介して後傾可能に取り付けると共に、フレームの前部の少なくとも一部は左右方向に伸びた前側直線部となっており、前側直線部に座の前部を軸受け機構を介して揺動可能に取り付けている。
【発明の効果】
【００１４】
請求項１記載の椅子では、体重感知部の先端に設けられた回転体が、体重感知部が座の後部を持ち上げる力と座の後部が体重感知部を押し下げる力とを回転しながら伝えるので、摺動しながら力を伝達する場合に比べて、座と背もたれの動きがスムーズになり、椅子の使い心地が良くなると共に、摩擦音の発生を防止することができて商品価値を向上させることができる。
【００１５】
また、請求項２記載の椅子では、反力機構を座の底面に沿って配置することで、座の厚み内に反力機構を納める又はほぼ納めることができ、反力機構を目立たなくすることができる。また、反力機構を目立たなくするために座を厚くする必要がなくなる。そのため、椅子の外観を良くすることができると共に、デザインの自由度を向上させることができる。
【００１６】
また、請求項３記載の椅子では、背もたれを捻るようにして揺動させることができる。また、この場合の背もたれ本体の捻れを左右の体重感知部の揺動角の相違によって吸収することができるので、座の捻れを防止することができる。これらのため、椅子を使いやすくすることができると共に、座り心地を向上させることができる。
【００１７】
また、請求項４記載の椅子では、フレーム自体に背もたれを取り付けることができるので、取付用のブラケット等をわざわざ別に設ける必要がなく、構造が簡単であり、部品点数や溶接箇所を減らすことができ、生産性に優れている。
【００１８】
また、請求項５記載の椅子では、フレーム自体に座を取り付けることができるので、取付用のブラケット等をわざわざ別に設ける必要がなく、構造が簡単であり、部品点数や溶接箇所を減らすことができ、生産性に優れている。
【００１９】
さらに、請求項６記載の椅子では、フレーム自体に座と背もたれを取り付けることができるので、取付用のブラケット等をわざわざ別に設ける必要がなく、構造が簡単であり、部品点数や溶接箇所を減らすことができ、生産性に優れている。
【図面の簡単な説明】
【００２０】
【図１】本発明の椅子の実施形態の一例を示し、背もたれを後傾させていない状態の側面図である。
【図２】同椅子の背もたれを後傾させた状態の側面図である。
【図３】同椅子のフレームを示し、前後の軸受け機構と体重感知部の位置関係を示す平面図である。
【図４】体重感知部と反力機構を示し、背もたれを後傾させていない状態の側面図である。
【図５】体重感知部と反力機構を示し、背もたれを後傾させた状態の側面図である。
【図６】椅子のフレームを示す斜視図である。
【図７】前側軸受け機構を示し、前側直線部を横断する方向の断面図である。
【図８】前側軸受け機構を示し、前側直線部に沿う方向の断面図である。
【図９】前側軸受け機構を示し、（Ａ）は椅子の左右方向からみた分解図、（Ｂ）は椅子の前後方向からみた分解図である。
【図１０】後側軸受け機構を示し、後側直線部を横断する方向の断面図である。
【図１１】後側軸受け機構を示し、後側直線部に沿う方向の断面図である。
【図１２】後側軸受け機構を示し、（Ａ）は椅子の左右方向からみた分解図、（Ｂ）は椅子の前後方向からみた分解図である。
【図１３】椅子のフレームの第１の変形例を示す斜視図である。
【図１４】椅子のフレームの第２の変形例を示す斜視図である。
【図１５】椅子のフレームの第３の変形例を示す斜視図である。
【図１６】椅子のフレームの第４の変形例を示す斜視図である。
【図１７】椅子のフレームの第５の変形例を示す斜視図である。
【図１８】従来の体重感知式の椅子を一部切り欠いて示す側面図である。
【図１９】同椅子の要部を示し、背当てを傾動させていない状態の断面図である。
【図２０】同椅子の要部を示し、背当てを傾動させた状態の断面図である。
【発明を実施するための形態】
【００２１】
以下、本発明の構成を図面に示す形態に基づいて詳細に説明する。
【００２２】
図１〜図５に本発明の椅子の実施形態の一例を示す。椅子は、前部１ｂに比べて後部１ａを昇降可能な座１と、後傾可能な背もたれ２と、背もたれ２に設けられ、座１の後部１ａを下から支えて背もたれ２の後傾に連動して座１の後部１ａを上昇させると共に、座１の後部１ａの下降に連動して背もたれ２を前方に起立させる体重感知部３と、座１の後部１ａと体重感知部３との間に設けられ、回転しながら力を伝達する回転体４を備えている。
【００２３】
図６に、本実施形態の椅子のフレーム５を示す。フレーム５は、左側の前後の脚１０，１０を連結する左側サブフレーム１１と、右側の前後の脚１０，１０を連結する右側サブフレーム１２より構成され、前後方向に直線状に伸びる中央部１３，１３が溶接等の固着手段によって接続されることで左右のサブフレーム１１，１２は一体化されている。左右のサブフレーム１１，１２の前部は左右方向に伸びる前側直線部６、後部は左右方向に伸びる後側直線部８となっている。即ち、前側直線部６と後側直線部８の内側端は中央部１３，１３に連結され、外側端は前後の脚１０，１０に連結されている。本実施形態では、前側の脚１０と前側直線部６と中央部１３と後側直線部８とを１本のパイプを折曲させて形成し、後側の脚１０と肘掛け支持部１４とを１本のパイプを折曲させて形成している。後側直線部８と後側の脚１０は溶接等の固着手段によって接続されている。肘掛け支持部１４の上端には肘掛け１５が取り付けられている。
【００２４】
本実施形態の背もたれ２は、左右一対の背もたれフレーム１６で背もたれ本体１７を支持する構成である。背もたれフレーム１６は水平部１６ａと垂直部１６ｂより構成され、これらは１本のパイプを折曲させることで形成されている。背もたれ本体１７は、可撓性を有する例えば樹脂製の板材によって形成され、両側部には背もたれフレーム１６の垂直部１６ｂが嵌め込まれると共に水平部１６ａを覆うカバー部１７ａが設けられている。
【００２５】
座１の前部１ｂはフレーム５に支持されている。本実施形態では、座１の前部１ｂを左右のサブフレーム１１，１２に前側軸受け機構７を介して揺動可能に取り付けている。即ち、従来の椅子ではフレームに金属製のブラケット等を固着させて当該ブラケット等に軸等を使用して座を取り付けていたが、本実施形態では、フレーム５の一部を前側直線部６とし、この前側直線部６に前側軸受け機構７を介して座１を揺動可能に取り付けるようにしている。本実施形態では、左右２箇所に前側軸受け機構７を設けている。
【００２６】
座１の後部１ａの両側は背もたれ２のカバー部１７ａを配置させる凹部１ｃとなっている。カバー部１７ａの前面１７ｂと座１の凹部１ｃの後面１ｄは横からみて斜め（前面１７ｂと後面１ｄとのずれ方向に斜め）に形成され、僅かな隙間をあけて対向している。カバー部１７ａの前面１７ｂと座１の凹部１ｃの後面１ｄを斜めにすることで、背もたれ２が後傾すると共に座１の後部１ａが上昇しても両者間の距離（隙間の広さ）が殆ど変わらず、着座１者の指等の挟み込みを防止することができる。
【００２７】
図７〜図９に、前側軸受け機構７を示す。前側軸受け機構７は、前側直線部６に係止されたフレーム側摺動部材１８と、座１の底面に取り付けられた取付部材（上側部）１９と、取付部材１９に係止され、フレーム側摺動部材１８と摺動する外側摺動部材２０と、取付部材１９との間に前側直線部６とフレーム側摺動部材１８と外側摺動部材２０を挟み込む押さえ部材（下側部）２１とを備えている。
【００２８】
フレーム側摺動部材１８は前側直線部６の外周面を囲む円筒形状を成し、上下の半部１８ａ，１８ｂに２分割されている。フレーム側摺動部材１８の上側半部１８ａは係止ピン２２によって前側直線部６に係止されている。フレーム側摺動部材１８は樹脂によって成形されている。外側摺動部材２０はフレーム側摺動部材１８の上側半部１８ａと取付部材１９との間に介在される庇状の摺動部２０ａと、取付部材１９の側面を覆うように取り付けられる取付部２０ｂより構成され、これらは樹脂により一体成形されている。前側軸受け機構７の取付部材１９は座１の底面に例えばねじ２３を使用して取り付けられている。取付部材１９にはアーチ状の切り欠きが設けられており、この切り欠き部分に外側摺動部材２０の摺動部２０ａが配置される。押さえ部材２１は中央が下方に凸となる円弧状に曲げられた板状部材であり、両端を取付部材１９の底部に例えばねじ２４を使用して取り付けることで、摺動部２０ａとの間にほぼ円形の空間が形成される。この円形空間に前側直線部６とフレーム側摺動部材１８が通される。
【００２９】
樹脂成型品であるフレーム側摺動部材１８を前側直線部６に係止すると共に、樹脂成型品である外側摺動部材２０を取付部材１９に係止することで、前側直線部６に対して座１を揺動させる場合に樹脂部品同士の摺動にすることができ、金属部品と樹脂部品とを摺動させる場合に比べて樹脂部品の摩耗を防止することができ、前側軸受け機構７の耐久性を向上させることができる。
【００３０】
フレーム側摺動部材１８の厚さは前側直線部６の太さに応じて決定されている。したがって、厚さの異なるフレーム側摺動部材１８を複数種類準備しておき、取付相手である前側直線部６の太さに対応したものを選択して使用する。即ち、フレーム側摺動部材１８を厚さの異なるものに交換するだけで、大幅な変更をせずに、径の異なる前側直線部６に取り付けることができる。このため、他の種類の椅子との部品の共通化が図れ、製造コストを安くすることができる。
【００３１】
なお、本実施形態では、外側摺動部材２０を上側部である取付部材１９に係止していたが、下側部である押さえ部材２１に係止するようにしても良い。
【００３２】
背もたれ２はフレーム５に支持されている。本実施形態では、左右の背もたれフレーム１６を左右のサブフレーム１１，１２に後側軸受け機構９を介して揺動可能に取り付けている。即ち、従来の椅子ではフレームに金属製のブラケット等を固着させて当該ブラケット等に軸等を使用して背もたれを取り付けていたが、本実施形態では、フレーム５の一部を後側直線部８とし、この後側直線部８に後側軸受け機構９を介して背もたれフレーム１６を揺動可能に取り付けるようにしている。本実施形態では、左右２箇所に後側軸受け機構９を設けている。
【００３３】
図１０〜図１２に、後側軸受け機構９を示す。本実施形態では、後側軸受け機構９を前側軸受け機構７と同様の構成にしている。後側軸受け機構９は、後側直線部８に係止されたフレーム側摺動部材１８と、背もたれ２に取り付けられた取付部材（上側部）１９と、取付部材１９に係止され、フレーム側摺動部材１８と摺動する外側摺動部材２０と、取付部材１９との間に後側直線部８とフレーム側摺動部材１８と外側摺動部材２０を挟み込む押さえ部材（下側部）２１とを備えている。
【００３４】
フレーム側摺動部材１８は後側直線部８の外周面を囲む円筒形状を成し、上下の半部１８ａ，１８ｂに２分割されている。フレーム側摺動部材１８の上側半部１８ａは係止ピン２２によって後側直線部８に係止されている。フレーム側摺動部材１８は樹脂によって成形されている。外側摺動部材２０はフレーム側摺動部材１８の上側半部１８ａと取付部材１９との間に介在される庇状の摺動部２０ａと、取付部材１９の側面を覆うように取り付けられる取付部２０ｂより構成され、これらは樹脂により一体成形されている。後側軸受け機構９の取付部材１９は背もたれフレーム１６の水平部１６ａに例えば溶接等の手段によって固着されている。取付部材１９にはアーチ状の切り欠きが設けられており、この切り欠き部分に外側摺動部材２０の摺動部２０ａが配置される。押さえ部材２１は中央が下方に凸となる円弧状に曲げられた板状部材であり、両端を取付部材１９の底部に例えばねじ２４を使用して取り付けることで、摺動部２０ａとの間にほぼ円形の空間が形成される。この円形空間に後側直線部８とフレーム側摺動部材１８が通される。
【００３５】
樹脂成型品であるフレーム側摺動部材１８を後側直線部８に係止すると共に、樹脂成型品である外側摺動部材２０を取付部材１９に係止することで、後側直線部８に対して座１を揺動させる場合に樹脂部品同士の摺動にすることができ、金属部品と樹脂部品とを摺動させる場合に比べて樹脂部品の摩耗を防止することができ、後側軸受け機構９の耐久性を向上させることができる。
【００３６】
フレーム側摺動部材１８の厚さは後側直線部８の太さに応じて決定されている。したがって、厚さの異なるフレーム側摺動部材１８を複数種類準備しておき、取付相手である後側直線部８の太さに対応したものを選択して使用する。即ち、フレーム側摺動部材１８を厚さの異なるものに交換するだけで、大幅な変更をせずに、径の異なる後側直線部８に取り付けることができる。このため、他の種類の椅子との部品の共通化が図れ、製造コストを安くすることができる。
【００３７】
なお、本実施形態では、外側摺動部材２０を上側部である取付部材１９に係止していたが、下側部である押さえ部材２１に係止するようにしても良い。
【００３８】
左右の背もたれフレーム１６の水平部１６ａの先端は、背もたれ本体１７のカバー部１７ａから突出し、座１の底部の下側に潜り込んでいる。この潜り込み部分が体重感知部３となっている。本実施形態では、左右の背もたれフレーム１６の水平部１６ａを体重感知部３としているので、体重感知部３は左右に設けられており、左右の体重感知部３は互いに独立している。
【００３９】
体重感知部３と座１の後部１ａとの間には、回転しながら力を伝達する回転体４が設けられている。本実施形態では、体重感知部３に回転体４を設けている。ただし、必ずしも体重感知部３側に回転体４を設ける必要はなく、座１の後部１ａの底面側に回転体４を設けても良い。
【００４０】
本実施形態では、回転体４として円板を使用している。また、本実施形態では、体重感知部３をパイプ（背もたれフレーム１６）で形成しているので、体重感知部３の先端に上下方向に沿い且つ円板の厚さよりも幅が広いスリット２５を形成し、このスリット２５内に回転体４を配置し、体重感知部３を左右方向に貫通するシャフト２６によって回転体４を回転自在に支持している。回転体４の上部は体重感知部３よりも上方に突出し、座１の底面に設けられたプレート２７に当たっている。
【００４１】
座１の後部１ａと体重感知部３との間には、背もたれ２の後傾に対する反力を発生させる反力機構２８が設けられている。本実施形態では、反力機構２８の座１の後部１ａ側の端部は体重感知部３側の端部よりも前方に設けられており、反力機構２８は座１の底面に沿って前後方向にほぼ水平に配置されている。本実施形態では、反力機構２８としてコイルスプリングを使用し、座１の後部１ａ側の端部（前端部）を支持プレート２９に設けられた軸部３０に、体重感知部３側の端部（後端部）を回転体４を支持するシャフト２６にそれぞれ引っかけている。支持プレート２９は前後方向に細長い板材で、後側直線部８に例えば溶接等の手段によって固着されており、体重感知部３の下方を前方に向けて伸びている。
【００４２】
反力機構２８を座１の底面に沿って配置することで、即ち、反力機構２８をほぼ水平に配置することで、座１の厚み内に反力機構２８を納める又はほぼ納めることができ、反力機構２８を目立たなくすることができる。また、反力機構２８を目立たなくするために座１を厚くする必要がなくなる。そのため、椅子の外観を良くすることができると共に、デザインの自由度を向上させることができる。
【００４３】
本実施形態では、反力機構２８は、左右の体重感知部３のそれぞれに設けている。ただし、いずれか一方の体重感知部３にのみ反力機構２８を設けても良いし、場合によっては反力機構２８を省略しても良い。
【００４４】
着座者が背もたれ２に寄りかかって後傾させると、背もたれフレーム１６が後側直線部８を中心に揺動する。このとき、体重感知部３が座１の後部１ａを持ち上げるので、着座者の体重が背もたれ２の後傾に対する反力となる。逆に、着座者が背もたれ２に寄りかかる力を弱めると、着座者の体重によって座１の後部１ａが下がり、背もたれ２を前方に起こす。即ち、体重感知式の椅子が構成される。
【００４５】
この動きでは、座１の底部のプレート２７と体重感知部３との位置関係が変化することになるが、体重感知部３の先端に設けられた回転体４が、体重感知部３が座１の後部１ａを持ち上げる力と座１の後部１ａが体重感知部３を押し下げる力とを回転しながら伝えるので、摺動しながら力を伝達する場合に比べて、動きがスムーズになり使い心地が良くなると共に、摩擦音の発生を防止することができる。
【００４６】
また、背もたれ２は後側直線部８に対して後側軸受け機構９を介して取り付けられており、座１の前部１ｂは前側直線部６に対して前側軸受け機構７を介して取り付けられているので、背もたれ２及び座１の揺動がスムーズになり、椅子の座り心地が良くなる。
【００４７】
また、座１はその前部１ｂを中心に揺動するので、座１の動きによって着座者の股が圧迫され難くなり、座り心地が向上する。
【００４８】
前側軸受け機構７及び後側軸受け機構９は前側直線部６又は後側直線部８を上下から挟み付ける構成であり、水平方向に回転シャフトを通して座や背もたれを取り付けるような作業を行う必要がないので、取付作業が容易であり、生産性に優れている。
【００４９】
また、座１や背もたれ２を取り付ける前側直線部６及び後側直線部８はフレーム５自体の一部であり、取付用のブラケット等をわざわざ別に設けていないので、構造が簡単であり、部品点数や溶接箇所を減らすことができると共に、生産性に優れている。
【００５０】
本実施形態では、背もたれ２の背もたれ本体１７を可撓性にし、また、左右の体重感知部３を互いに独立させているので、背もたれ２を捻るようにして揺動させることできる。また、この場合の背もたれ本体１７の捻れを左右の体重感知部３の揺動角の相違によって吸収することができ、座１の捻れを防止することができる。これらのため、椅子を使いやすくすることができると共に、座り心地を向上させることができる。
【００５１】
なお、上述の形態は本発明の好適な形態の一例ではあるがこれに限定されるものではなく本発明の要旨を逸脱しない範囲において種々変形実施可能である。
【００５２】
例えば、上述の説明では、座１の前部１ｂと背もたれ２の両方をフレーム５に軸受け機構７，９を介して揺動可能に取り付けていたが、座１の前部１ｂと背もたれ２のいずれか一方のみをフレーム５に軸受け機構を介して揺動可能に取り付けるようにしても良い。即ち、フレーム５に前側直線部６と後側直線部８のいずれか一方のみを設けるようにしても良い。この場合であっても、軸受け機構を介して取り付けた方の部材（座又は背もたれ）をスムーズに揺動させることができ、座り心地を良くすることができると共に、その取付作業も容易である。
【００５３】
また、フレーム５の形状は上述のものに限るものではなく、座１の前部１ｂをフレーム５に揺動可能に取り付ける場合には前側直線部６が設けられていれば良く、また、背もたれ２をフレーム５に揺動可能に取り付ける場合には後側直線部８が設けられていれば良い。例えば、図１３に示すように、左右のサブフレームに分割するのではなく、前後左右の脚１０と前側直線部６を１本のパイプで形成すると共に、後側直線部８を１本の真っ直ぐなパイプで形成し、左右の後脚１０間を後側直線部８で連結したフレーム５でも良く、図１４に示すように、左右のサブフレーム１１，１２を後側の脚１０に接続したフレーム５でも良い。
【００５４】
また、上述のフレーム５は肘掛け支持部１４を有していたが、例えば図１５〜図１７に示すように、肘掛け支持部１４を省略しても良い。なお、図１５のフレーム５は図６のフレーム５に、図１６のフレームは図１３のフレームに、図１７のフレームは図１４のフレームにそれぞれ対応するものである。
【００５５】
また、上述の説明では、回転体４として円板を使用していたが、必ずしも円板に限るものではなく、例えばボール等でも良い。この場合であっても、円板を使用した場合と同様に、体重感知部３と座１との間の力の伝達を確実に行うことができると共に、体重感知部３と座１との動きをスムーズにでき、さらに摩擦音の発生を防止することができる。
【００５６】
また、上述の説明では、回転体４を体重感知部３に設けていたが、座１の後部１ａに設けても良い。この場合も回転体４を体重感知部３に設けた場合と同様に、体重感知部３と座１との間の力の伝達を確実に行うことができると共に、体重感知部３と座１との動きをスムーズにでき、さらに摩擦音の発生を防止することができる。
【００５７】
さらに、上述の説明では、反力機構２８を前後方向にほぼ水平に配置していたが、必ずしも前後方向である必要はなく、左右方向にほぼ水平に配置しても良く、又は斜め方向にほぼ水平に配置しても良い。これらの場合にも、反力機構２８を座１の厚み内に納める又はほぼ納めることができ、反力機構２８を目立たなくすることができる。また、反力機構２８を目立たなくするために座１を厚くする必要がなくなる。そのため、椅子の外観を良くすることができると共に、デザインの自由度を向上させることができる。
【符号の説明】
【００５８】
１  座
１ａ  椅子の後部
１ｂ  椅子の前部
２  背もたれ
３  体重感知部
４  回転体
５  フレーム
６  前側直線部
７  前側軸受け機構
８  後側直線部
９  後側軸受け機構
１０  脚
１８  軸受け機構のフレーム側摺動部材
１９  取付部材（上側部）
２０  軸受け機構の外側摺動部材
２１  押さえ部材（下側部）
２８  反力機構
【図１】
2012249826.tif 000003
【図２】
2012249826.tif 000004
【図３】
2012249826.tif 000005
【図４】
2012249826.tif 000006
【図５】
2012249826.tif 000007
【図６】
2012249826.tif 000008
【図７】
2012249826.tif 000009
【図８】
2012249826.tif 000010
【図９】
2012249826.tif 000011
【図１０】
2012249826.tif 000012
【図１１】
2012249826.tif 000013
【図１２】
2012249826.tif 000014
【図１３】
2012249826.tif 000015
【図１４】
2012249826.tif 000016
【図１５】
2012249826.tif 000017
【図１６】
2012249826.tif 000018
【図１７】
2012249826.tif 000019
【図１８】
2012249826.tif 000020
【図１９】
2012249826.tif 000021
【図２０】
2012249826.tif 000022